(57)【要約】【課題】インターネット拡大に従い、情報の閲覧者は、あふれる情報の中で、自分にとって重要な情報を発見すること。また重要な情報を発見しても記憶や記録しておくことが容易ではなくなっている。そこで、インターネットの利用者が誰でも容易に、WEBページの任意の箇所を選択、共有できるシステムを提供する。【解決手段】本発明を利用することで同じようにインターネット上のWEBページに閲覧者が任意の文章にマーカーを引くことができる。また、閲覧者がWEBページでマーカーを引いた情報を一元管理しておき、閲覧者はその情報にいつでもアクセスできるようにしておく。また閲覧者は他の閲覧者がラインを引いた情報も参照することができる。【選択図】図１
2017120606.tif 000002
【特許請求の範囲】
【請求項１】
WEBページにおいて閲覧者の文章マーカー操作を検知し、マーカー情報を蓄積するために転送を行うプログラム。
【請求項２】
WEBページにアクセスがあった時に、過去のマーカー情報の履歴よりマーカー箇所をWEBページの文章上に表示するプログラム。
【請求項３】
前記WEBページにおける閲覧者のマーカー履歴を蓄積管理するマーカー情報管理サーバ。
【請求項４】
請求項１から3のいずれか１項に該当するプログラム及びサーバと、ブラウザにて構成されることを特徴とするマーカー情報提供システム。
【発明の詳細な説明】
【技術分野】
【０００１】
本発明は、インターネット上で一般公開されている文書に対して閲覧者が利用できるシステムである。
【背景技術】
【０００２】
インターネット利用者の人口は年々増加しておりPCやスマートフォンを用いて、あらゆる情報を閲覧することができるようになっている。例えば、企業が公開している製品紹介サイト、時事情報を提供するニュースサイトなどをはじめ、最近では、企業が提供する情報のみではなく、個人が公開しているブログなども人気を集め供給されている情報量も拡大を続けている。
【発明の概要】
【発明が解決しようとする課題】
【０００３】
インターネット拡大に従い、情報の閲覧者は、あふれる情報の中で、自分にとって重要な情報を発見すること。また重要な情報を発見しても記憶しておくことが容易ではなくなっている。
【課題を解決するための手段】
【０００４】
通常、小説を読んでいるときに感銘を受けた文を見つけたときや、参考書を読んでいるときに覚えておかなければならない個所を見つけたとき、マーカーペンを持ってラインを引くことがある。本発明を利用することで同じようにインターネット上のWEBページでも閲覧者が任意の文章にラインを引くことができる。また、閲覧者がWEBページでラインを引いた情報を一元管理しておき、閲覧者はその情報にいつでもアクセスできるようにしておく。また閲覧者は他の閲覧者がラインを引いた情報も参照することができる。
【発明の効果】
【０００５】
本発明の効果は大きく2点ある。1点目は、インターネット上のWEBページ内で閲覧者が重要と感じマーカーを引いた情報を記録・管理しておけること、2点目は閲覧者が他の閲覧者が記録したライン情報を参照することができ、閲覧者は他者のマーカー情報を参考にすることができる。
【図面の簡単な説明】
【０００６】
【図１】本発明の全体構成を示す図である。
【図２】本発明で用いられるマーカー情報転送プログラムを示すシーケンス図である。
【図３】本発明で用いられるマーカー情報表示プログラムを示すシーケンス図である。
【図４】本発明で用いられるマーカー情報管理サーバを示す図である。
【図５】本発明で用いられるマーカー情報の格納形式を示す図である。
【図６】本発明の利用イメージを示した図である。
【発明を実施するための形態】
【０００７】
図１では、本発明の全体図を示している。閲覧者は、ブラウザ40を用いて任意のWEBサイトを閲覧し、WEBページ内の文章に、マーカーしておきたい箇所を見つけた場合に、本発明の機能を用いてマーカーの開始位置から終了位置までを選択または押下する操作によりマーカー箇所をハイライトさせる。この一連の動作は、マーカー位置情報を受け取り、マーカー情報管理サーバ30に転送するマーカー情報転送プログラム10と、マーカー位置情報をWEBページに表示させるマーカー情報表示プログラム20によって実現する。
【０００８】
マーカー情報転送プログラム10では、閲覧者のブラウザ上の任意の文章のクリック開始からドラッグ終了までの操作を認識すると、閲覧者の識別情報102を取得する。ここでは具体的に閲覧者のクッキー情報や、使用ブラウザ、IPアドレス等の情報を取得する。次にページ情報の取得103では、閲覧者が閲覧しているページのURLやページ内の構成情報を取得する。次にマーカー開始位置、終了位置、文書の取得104では、マーカーの位置情報及び、マーカーされた文章内容を取得し、102,103,104で取得したすべての情報をマーカー関連情報の転送105にて、マーカー情報管理サーバに転送する。マーカー情報管理サーバでは、マーカー関連情報を保存106で、105で送信されたデータを保存する。
【０００９】
マーカー情報表示プログラム20では、閲覧者がWEBページを閲覧した際、すでにそのWEBページに閲覧者自身もしくは、他の閲覧者がマーカーした履歴があった場合、マーカー情報を表示する。ページの表示201によりページ情報がマーカー情報表示プログラム20に送信されると、マーカー情報問い合わせ202によりすでにマーカー履歴が存在するかどうかをマーカー情報管理サーバ30に問い合わせる。マーカー情報が存在する場合は、ページ内のマーカー位置情報、マーカー数の取得203にて、マーカー位置に関わる情報が返信される。203で送信された情報を元にマーカー部分色塗り処理204によりページ情報のマーカ位置の特定と、マーカー人数の集計、マーカー色情報の決定を行う。最後にマーカー開始位置から終了位置の色塗り表示205にて、文章内のマーカー部分の描画処理を行う。
【００１０】
マーカー情報管理サーバ30は、インターネットを介した各プログラム10、20からのデータを送受信する通信処理31と、送受信したデータをDBに読み書きするデータ制御処理32及び、データの格納部分に当たるマーカー情報DB33で構成される。
【００１１】
マーカー情報DB33には、マーカー位置情報等の主要な情報が保存される。その保存形式は、330の表で示す通りとなる。
【００１２】
各閲覧者が本発明を使用したWEBページを閲覧した場合は、マーカー箇所41のように、閲覧者自身もしくは、他の閲覧者がマーカーした情報が表示される。また付随情報として何人の閲覧者がマーカーしたかの情報42を得ることで、その文章の有効性、人気度を知ることもできる。
【符号の説明】
【００１３】
10 マーカー情報転送プログラム
20 マーカー情報表示プログラム
30 マーカー情報管理サーバ
41 マーカー箇所
42 マーカー付随情報
31 通信処理
32 データ制御処理
33 マーカー情報DB
40 ブラウザ
101 マーカー開始から終了の操作
102 閲覧者識別情報の取得
103 ページ情報の取得
104 マーカー開始位置、終了位置、文書の取得
105 マーカー関連情報の転送
106 マーカー関連情報の保存
201 ページの表示
202 マーカー情報問い合せ
203 ページ内のマーカー位置情報、マーカー数の取得
204 マーカー部分色塗り処理
205 マーカー開始位置から終了位置の色塗り表示
330 マーカー情報DB主要データ保存形式
【図１】
2017120606.tif 000003
【図２】
2017120606.tif 000004
【図３】
2017120606.tif 000005
【図４】
2017120606.tif 000006
【図５】
2017120606.tif 000007
【図６】
2017120606.tif 000008